(57)【要約】【課題】  飲食店等の店舗で用いる携帯端末にクーポンを表示させる際の携帯端末用クーポン発行システムを提供することを目的とする。【解決手段】  初期認証情報を記憶する初期認証情報記憶手段と、店舗端末からＩＤとパスワードとを受信し、初期認証情報記憶手段に記憶する初期認証情報と一致するかを照合する初期認証情報照合手段と、新たに設定するＩＤとパスワードとを店舗端末から受信し追加認証情報記憶手段に記憶することで追加認証情報の設定を行う追加認証情報設定手段と、携帯端末からＩＤとパスワードとを受信し、追加認証情報記憶手段に記憶する追加認証情報と一致するかを照合する追加認証情報照合手段と、携帯端末用のクーポンを発行する為のクーポンの情報を携帯端末から受信し、携帯端末用のクーポン発行処理を行うクーポン発行手段と、を有する携帯端末用クーポン発行システムである。【選択図】  図１
2006195515.tif 000002
【特許請求の範囲】
【請求項１】
携帯端末用のクーポンを発行する店舗で利用する店舗端末と前記店舗の店員の利用する携帯端末との間でデータの送受信が可能な携帯端末用クーポン発行システムであって、
前記携帯端末用クーポン発行システムは、
前記店舗に対して予め付与されたＩＤとパスワードからなる初期認証情報を記憶する初期認証情報記憶手段と、
前記店舗端末からＩＤとパスワードとを受信し、前記初期認証情報記憶手段に記憶する初期認証情報と一致するかを照合し、一致する場合に前記携帯端末用クーポン発行システムへのアクセスを許可する初期認証情報照合手段と、
追加認証情報として新たに設定するＩＤとパスワードとを前記店舗端末から受信し、追加認証情報記憶手段に記憶することで追加認証情報の設定を行う追加認証情報設定手段と、
前記携帯端末からＩＤとパスワードとを受信し、前記追加認証情報記憶手段に記憶する追加認証情報と一致するかを照合し、一致する場合に前記携帯端末用クーポン発行システムへのアクセスを許可する追加認証情報照合手段と、
前記携帯端末用のクーポンを発行する為のクーポンの情報を前記携帯端末から受信し、前記携帯端末用のクーポン発行処理を行うクーポン発行手段と、
を有することを特徴とする携帯端末用クーポン発行システム。
【請求項２】
携帯端末用のクーポンを発行する店舗で利用する店舗端末と前記店舗の店員の利用する携帯端末との間でデータの送受信が可能な携帯端末用クーポン発行システムであって、
前記携帯端末用クーポン発行システムは、
前記店舗に対して予め付与されたＩＤとパスワードからなる初期認証情報を記憶する初期認証情報記憶手段と、
前記店舗端末からＩＤとパスワードとを受信し、前記初期認証情報記憶手段に記憶する初期認証情報と一致するかを照合し、一致する場合に前記携帯端末用クーポン発行システムへのアクセスを許可する初期認証情報照合手段と、
追加認証情報として新たに設定するパスワードを前記店舗端末から受信し、前記初期認証情報に於けるＩＤと前記受信したパスワードとを対応付けて追加認証情報として追加認証情報記憶手段に記憶することで追加認証情報の設定を行う追加認証情報設定手段と、
前記携帯端末からＩＤとパスワードとを受信し、前記追加認証情報記憶手段に記憶する追加認証情報と一致するかを照合し、一致する場合に前記携帯端末用クーポン発行システムへのアクセスを許可する追加認証情報照合手段と、
前記携帯端末用のクーポンを発行する為のクーポンの情報を前記携帯端末から受信し、前記携帯端末用のクーポン発行処理を行うクーポン発行手段と、
を有することを特徴とする携帯端末用クーポン発行システム。
【請求項３】
前記追加認証情報設定手段は、
前記店舗端末から受信したＩＤとパスワードとに基づいて、同一のＩＤ又はパスワードがあるかを前記追加認証情報記憶手段から検索し、ない場合には前記受信したＩＤとパスワードを追加認証情報として前記追加認証情報記憶手段に記憶し、ある場合には前記店舗端末に対して異なるＩＤ又はパスワードを入力するように促す通知を送信する、
ことを特徴とする請求項１に記載の携帯端末用クーポン発行システム。
【請求項４】
前記追加認証情報設定手段は、
前記店舗端末から受信したパスワードに基づいて、同一のパスワードがあるかを前記追加認証情報記憶手段から検索し、ない場合には前記初期認証情報に於けるＩＤと前記受信したパスワードとを追加認証情報として前記追加認証情報記憶手段に記憶し、ある場合には前記店舗端末に対して異なるパスワードを入力するように促す通知を送信する、
ことを特徴とする請求項２に記載の携帯端末用クーポン発行システム。
【請求項５】
前記クーポン発行手段は、
前記携帯端末に前記クーポンの情報を入力する為のクーポン情報登録画面を送信し、前記クーポン情報登録画面に入力されたクーポンの情報を前記携帯端末から受信し、予め記憶された携帯端末用のクーポン画面のひな形のコードに前記受信したクーポンの情報を引数として代入することで前記携帯端末用のクーポン画面を作成・記憶して、前記携帯端末用のクーポンとして発行する、
ことを特徴とする請求項１から請求項４のいずれかに記載の携帯端末用クーポン発行システム。
【発明の詳細な説明】
【技術分野】
【０００１】
本発明は、飲食店等の店舗で用いる携帯端末にクーポンを表示させる際の携帯端末用クーポン発行システムに関する。
【背景技術】
【０００２】
飲食店等の店舗を紹介する情報が店舗紹介事業者によりインターネットを介して提供されており、当該店舗のサイトを閲覧する利用者に対して、料金の割引や商品サービス等の何らかのインセンティブを提供することを示すクーポンを利用者に対して発行することが行われている。利用者は当該クーポンをプリンタで印刷し、それを店舗利用時に店員に提示することによって、当該インセンティブを享受することが出来る。
【０００３】
このようなクーポンは、通常は利用者が印刷した紙媒体を店員に提示することが一般的であるが、近年の携帯端末（携帯電話やＰＨＳ）の普及に伴い、クーポンを印刷しなくとも、携帯端末から当該店舗のサイトにアクセスすることでクーポンを携帯端末の画面で表示し、その画面を店員に見せることによって、インセンティブを享受する方法も行われている。このようにクーポンを携帯端末の画面で表示させる為には、携帯端末用のクーポンを作成する必要があり、この従来技術を示す特許文献として特許文献１や特許文献２がある。
【０００４】
従来このような携帯端末用のクーポンを作成する為には、飲食店等の店舗をインターネット等で紹介する事業を行っている紹介事業者から予め付与されたＩＤとパスワードを用いて、店舗端末を利用してクーポンを発行する店舗の担当者が行っている。
【０００５】
【特許文献１】特開２００２−７４１７６号公報
【特許文献２】特開２００２−１６３３８３号公報
【発明の開示】
【発明が解決しようとする課題】
【０００６】
このような携帯端末用のクーポンは、割引等のサービスが一般的であることから、店舗にとっては節度ある発行が求められる。しかし上述のようなシステムの場合、紹介事業者から店舗に予め付与されたＩＤとパスワードのみで携帯端末用のクーポンの発行処理の認証作業を行っている。一方、クーポンの発行処理は、適宜行われることが望ましいので、比較的様々な店員がその処理を行えると業務が円滑に進むので好ましい。その為、当該店舗のＩＤとパスワードを店舗端末の周辺に示したり、店員全員に通知したりする方法もある。
【０００７】
しかし店舗のＩＤとパスワードを店員の誰でもが分かるような状況とすると、店舗の誰かが発行処理を行ったことは特定できても、店舗の誰が発行処理を行ったかを特定することが出来ない。従って、例えば「９０％ＯＦＦ」のような、本来ならば店舗の責任者が意図しないような携帯端末用のクーポンが発行されたとしても、誰が発行したかを特定することが出来ない問題点がある。
【課題を解決するための手段】
【０００８】
そこで本発明者は、紹介事業者は従来通り店舗に対してＩＤとパスワードを発行するが、店舗に於いても独自にＩＤとパスワードを設定可能とすることによって、例えば店員毎、クーポン発行担当者毎のＩＤとパスワードを付与することが出来る、携帯端末用クーポン発行システムを発明した。
【０００９】
請求項１の発明は、携帯端末用のクーポンを発行する店舗で利用する店舗端末と前記店舗の店員の利用する携帯端末との間でデータの送受信が可能な携帯端末用クーポン発行システムであって、前記携帯端末用クーポン発行システムは、前記店舗に対して予め付与されたＩＤとパスワードからなる初期認証情報を記憶する初期認証情報記憶手段と、前記店舗端末からＩＤとパスワードとを受信し、前記初期認証情報記憶手段に記憶する初期認証情報と一致するかを照合し、一致する場合に前記携帯端末用クーポン発行システムへのアクセスを許可する初期認証情報照合手段と、追加認証情報として新たに設定するＩＤとパスワードとを前記店舗端末から受信し、追加認証情報記憶手段に記憶することで追加認証情報の設定を行う追加認証情報設定手段と、前記携帯端末からＩＤとパスワードとを受信し、前記追加認証情報記憶手段に記憶する追加認証情報と一致するかを照合し、一致する場合に前記携帯端末用クーポン発行システムへのアクセスを許可する追加認証情報照合手段と、前記携帯端末用のクーポンを発行する為のクーポンの情報を前記携帯端末から受信し、前記携帯端末用のクーポン発行処理を行うクーポン発行手段と、を有する携帯端末用クーポン発行システムである。
【００１０】
本発明によって、店舗自らが必要な数のＩＤとパスワードを発行することが出来る。このように店舗で独自にＩＤとパスワードを付与し、例えば店員毎にそのようなものを通知しておけば、仮に問題のある携帯端末用のクーポンが発行されたとしても、そのＩＤとパスワードを調べれば誰が発行したかを特定することが出来るし、そもそもそのような悪意ある発行を防止することが出来る。
【００１１】
請求項２の発明は、携帯端末用のクーポンを発行する店舗で利用する店舗端末と前記店舗の店員の利用する携帯端末との間でデータの送受信が可能な携帯端末用クーポン発行システムであって、前記携帯端末用クーポン発行システムは、前記店舗に対して予め付与されたＩＤとパスワードからなる初期認証情報を記憶する初期認証情報記憶手段と、前記店舗端末からＩＤとパスワードとを受信し、前記初期認証情報記憶手段に記憶する初期認証情報と一致するかを照合し、一致する場合に前記携帯端末用クーポン発行システムへのアクセスを許可する初期認証情報照合手段と、追加認証情報として新たに設定するパスワードを前記店舗端末から受信し、前記初期認証情報に於けるＩＤと前記受信したパスワードとを対応付けて追加認証情報として追加認証情報記憶手段に記憶することで追加認証情報の設定を行う追加認証情報設定手段と、前記携帯端末からＩＤとパスワードとを受信し、前記追加認証情報記憶手段に記憶する追加認証情報と一致するかを照合し、一致する場合に前記携帯端末用クーポン発行システムへのアクセスを許可する追加認証情報照合手段と、前記携帯端末用のクーポンを発行する為のクーポンの情報を前記携帯端末から受信し、前記携帯端末用のクーポン発行処理を行うクーポン発行手段と、を有する携帯端末用クーポン発行システムである。
【００１２】
上述の発明とは異なり、店舗端末から追加認証情報のパスワードのみを受信し、店舗に予め付与されている初期認証情報のＩＤと対応付けることによって、追加認証情報とすることも出来る。このように構成することで、一つのＩＤに複数のパスワードが対応付けられるが、追加認証情報を用いた照合の際のシステムにかかる負荷を軽減することが出来る。
【００１３】
請求項３の発明は、前記追加認証情報設定手段は、前記店舗端末から受信したＩＤとパスワードとに基づいて、同一のＩＤ又はパスワードがあるかを前記追加認証情報記憶手段から検索し、ない場合には前記受信したＩＤとパスワードを追加認証情報として前記追加認証情報記憶手段に記憶し、ある場合には前記店舗端末に対して異なるＩＤ又はパスワードを入力するように促す通知を送信する、携帯端末用クーポン発行システムである。
【００１４】
請求項４の発明は、前記追加認証情報設定手段は、前記店舗端末から受信したパスワードに基づいて、同一のパスワードがあるかを前記追加認証情報記憶手段から検索し、ない場合には前記初期認証情報に於けるＩＤと前記受信したパスワードとを追加認証情報として前記追加認証情報記憶手段に記憶し、ある場合には前記店舗端末に対して異なるパスワードを入力するように促す通知を送信する、携帯端末用クーポン発行システムである。
【００１５】
このように追加認証情報を設定する際に、既に同一のＩＤやパスワードが設定済みであるか否かを検索した後に追加認証情報として記憶することで、重複したＩＤやパスワードの設定を防ぐことが出来る。
【００１６】
請求項５の発明は、前記クーポン発行手段は、前記携帯端末に前記クーポンの情報を入力する為のクーポン情報登録画面を送信し、前記クーポン情報登録画面に入力されたクーポンの情報を前記携帯端末から受信し、予め記憶された携帯端末用のクーポン画面のひな形のコードに前記受信したクーポンの情報を引数として代入することで前記携帯端末用のクーポン画面を作成・記憶して、前記携帯端末用のクーポンとして発行する、携帯端末用クーポン発行システムである。
【００１７】
このように構成することによって、店舗端末のみならず、店舗の店員が利用する携帯端末からも携帯端末用のクーポンの発行処理が行える。
【発明の効果】
【００１８】
上述の発明により、店舗で独自にＩＤとパスワードを付与することができる。例えば店員毎にそのようなものを通知しておけば、仮に問題のある携帯端末用のクーポンが発行されたとしても、そのＩＤとパスワードを調べれば誰が発行したかを特定することが出来るし、そもそもそのような悪意ある発行を防止することが出来る。
【発明を実施するための最良の形態】
【００１９】
本発明の携帯端末用クーポン発行システム１のシステム構成の一例を図１のシステム構成図に示す。携帯端末用クーポン発行システム１は、飲食店等の店舗の情報をインターネット等のネットワーク１０を介して提供するサーバ上で実現されると良いが、他のサーバであっても良い。本明細書では店舗として飲食店の店舗である場合を示すが、飲食店に限らず如何なる業態の店舗であっても良い。
【００２０】
携帯端末用クーポン発行システム１は、クーポンを発行する店舗の担当者が利用する店舗端末８（コンピュータ端末の他、携帯電話、ＰＨＳ、ＰＤＡ等の可搬型通信端末であっても良い）と、店舗の店員が利用する携帯端末９（携帯電話、ＰＨＳ、ＰＤＡ等の可搬型通信端末）との間で、ネットワーク１０を介して情報の送受信が可能である。
【００２１】
携帯端末用クーポン発行システム１は、初期認証情報記憶手段２と初期認証情報照合手段３と追加認証情報設定手段４と追加認証情報記憶手段５と追加認証情報照合手段６とクーポン発行手段７とを有している。
【００２２】
初期認証情報記憶手段２は、飲食店等の店舗の情報をインターネット等のネットワーク１０を介して提供する事業者から店舗に付与された、当該店舗に対するＩＤとパスワードとを店舗毎に記憶する手段である。事業者から付与された当該店舗に対するＩＤとパスワードを初期認証情報とする。図３に初期認証情報記憶手段２の概念図を示す。
【００２３】
初期認証情報照合手段３は、店舗端末８から携帯端末用クーポン発行システム１にアクセスする為に、店舗端末８から受信した初期認証情報と、初期認証情報記憶手段２に記憶する初期認証情報とを照合し、一致する場合には店舗端末８からのアクセスを許可し、一致しない場合には店舗端末８からのアクセスを拒否する手段である。
【００２４】
追加認証情報設定手段４は、任意に追加設定することが出来るＩＤ、パスワードを追加認証情報として設定する手段である。尚、以下の実施例ではＩＤ及びパスワードの双方を追加認証情報とする場合を説明するが、パスワードのみを追加設定し、ＩＤは店舗に予め付与された初期認証情報に於けるＩＤと同一のＩＤを用い、当該ＩＤとパスワードとで追加認証情報としても良い。
【００２５】
追加認証情報を設定する際には、図４に示す追加認証情報設定画面を追加認証情報設定手段４が店舗端末８に送信し、そこに入力されたＩＤとパスワードとを店舗端末８から受信して、追加認証情報記憶手段５に記憶することで、追加認証情報の設定が行える。尚、店舗毎に設定するパスワードは、異なる店舗（ＩＤ）間に於いて同一のパスワードを設定可能にしても良いし、同一のパスワードが異なる店舗（ＩＤ）にある場合にはそのパスワードを設定不可にして、再度異なるパスワードの入力を促しても良い。
【００２６】
又、パスワードのみの追加設定を行う場合には、図４に示す追加認証情報設定画面を追加認証情報設定手段４が店舗端末８に送信し、そこに入力されたパスワードを店舗端末８から受信し、店舗に予め付与されたＩＤ（初期認証情報に於けるＩＤ）と受信したパスワードとを対応付けて追加認証情報記憶手段５に記憶することで、追加認証情報の設定が行える。
【００２７】
追加認証情報記憶手段５は、追加認証情報設定手段４で記憶したＩＤとパスワードの追加認証情報を店舗毎に記憶する手段である。図５に追加認証情報記憶手段５の概念図を示す。
【００２８】
追加認証情報照合手段６は、店舗の店員が携帯端末９から携帯端末用クーポン発行システム１にアクセスする為に、携帯端末９から受信した追加認証情報と、追加認証情報記憶手段５に記憶する追加認証情報とを照合し、一致する場合には携帯端末９からのアクセスを許可し、一致しない場合には携帯端末９からのアクセスを拒否する手段である。
【００２９】
クーポン発行手段７は、追加認証情報照合手段６での追加認証情報の照合の結果、一致した場合には、所定の操作により、当該携帯端末９から携帯端末用クーポンの発行、編集等の処理を行う手段である。尚、クーポン発行手段７は、新たな携帯端末用のクーポンの発行を行った場合に、その発行処理を行ったＩＤとパスワードとを記録しておく。この携帯端末用クーポンの発行、編集等の処理は公知の方法を用いることが出来る。例えば携帯端末９からネットワーク１０を介して、当該店舗で発行するクーポンの情報の入力を受け付け、クーポンとして発行する。入力を受け付けるクーポンの情報としては、クーポンのテーマ（所定割合・所定金額の割引、性別限定割引、誕生日特典、幹事割引（幹事分の料金が割引）、サービスの付加（一品追加等）、プレゼント、金券付与、割引全般等）、クーポン画面に表示するクーポンの内容を示す本文、クーポン利用の際の注意事項、有効期限などクーポンとして提示する為の必要な情報がある。このようなクーポンの情報を携帯端末９から入力する画面（クーポン情報登録画面）の一例を図６に示す。
【００３０】
例えばＣＨＴＭＬコード等の所定の記述言語で表現される携帯端末用のクーポン画面のひな形のコードに、携帯端末９から入力されたクーポンの情報を引数として代入することで、携帯端末用のクーポン画面を作成・発行することが出来る。ひな形のコードは、携帯端末用クーポン発行システム１に予め記憶されている。尚、携帯端末９の画面上でクーポン画面を表現する記述言語としてＣＨＴＭＬコード以外のものを用いることも出来る。
【００３１】
図７に携帯端末用のクーポンの一例を示す。図７では、図６のクーポン情報登録画面に、クーポンのテーマとして「２０％ＯＦＦクーポン」、クーポンの本文として「「期間限定」飲み放題付きコース４６００円→４１８０円」、注意事項として「１回１枚限り、他サービスとの併用不可、カードとの併用不可、入店時にご提示、要予約」、有効期限として「2004/11/1/17:00〜2004/11/15/20:00まで」のクーポンの情報の入力を受け付けた場合を示す。
【００３２】
以上のようにして発行した携帯端末用のクーポン画面は所定の方法で記憶され、店舗の利用者が当該クーポン画面にアクセスした場合に、利用者の携帯端末９に送信・表示される。そして店舗利用時に利用者の携帯端末９に表示されたクーポンの画面を利用者が店舗の店員に見せることにより、クーポンに記載されたインセンティブを享受することが出来る。
【００３３】
次に本発明の携帯端末用クーポン発行システム１の処理プロセスの一例を図２のフローチャート及び図１のシステム構成図を用いて説明する。
【００３４】
店舗で携帯端末用のクーポン発行を行える店員に対して追加認証情報を発行しようと考える店舗の担当者（責任者）は、店舗端末８から所定の方法（例えば所定のＵＲＬを入力する等）により携帯端末用クーポン発行システム１にアクセスし、事業者から付与された初期認証情報を入力する（Ｓ１００）。
【００３５】
初期認証情報照合手段３は、店舗端末８から受信した初期認証情報と、初期認証情報記憶手段２に記憶する初期認証情報とを照合し（Ｓ１００）、一致する場合には店舗端末８からのアクセスを許可し、一致しない場合には店舗端末８からのアクセスを拒否する。この際に入力された初期認証情報に基づいて、店舗名等を識別することが出来る。
【００３６】
アクセスを許可する場合には、携帯端末用クーポン発行システム１は、店舗端末８に所定の管理画面を送信する。図８に管理画面の一例を示す。管理画面の「追加認証情報の設定」を選択することにより、追加認証情報設定手段４は、追加認証情報設定画面（図４）を店舗端末８に送信する。
【００３７】
追加認証情報設定画面に店舗の担当者が、新たに発行する追加認証情報のＩＤとパスワードとを入力し、「登録」を選択することにより、入力されたＩＤとパスワードとが店舗端末８から追加認証情報設定手段４に送信される。これを追加認証情報設定手段４が受信し、追加認証情報記憶手段５に記憶する。このように追加認証情報記憶手段５に追加認証情報を新たに記憶することで、追加認証情報の設定が行える（Ｓ１２０）。
【００３８】
尚、追加認証情報は、異なる店舗（ＩＤ）間に於いて同一のパスワードを設定可能にしても良いし、同一のパスワードが異なる店舗（ＩＤ）にある場合にはそのパスワードを設定不可にして、異なるパスワードの再度の入力を促しても良い。即ち、追加認証情報設定手段４は、受信した追加認証情報を追加認証情報記憶手段５に記憶する前に、受信した追加認証情報と同一の追加認証情報があるか否かを追加認証情報記憶手段５から検索し、同一の追加認証情報がなければ、受信した追加認証情報を追加認証情報記憶手段５に記憶し、同一の追加認証情報がある場合には、店舗端末８に異なる追加認証情報の入力を促す通知を送信する。
【００３９】
以上のようにして店舗端末８から追加認証情報の設定が行える。設定した追加認証情報は、電子メールや回覧等により、携帯端末用のクーポンの発行を行わせる店員に対して通知する。この通知の際に、追加認証情報と併せて、携帯端末９から携帯端末用クーポン発行システム１にアクセスする為のＵＲＬを併せて通知すると良い。
【００４０】
次に当該追加認証情報を用いて、店舗の店員が携帯端末９から携帯端末用クーポン発行システム１にアクセスし、携帯端末用のクーポンを発行する処理を行う場合を説明する。
【００４１】
店舗の携帯端末用クーポンの発行を行う店舗の店員は、携帯端末９から所定の方法（例えば所定のＵＲＬを入力する等）により携帯端末用クーポン発行システム１にアクセスし、店舗から付与された追加認証情報を入力する（Ｓ１３０）。
【００４２】
追加認証情報照合手段６は、携帯端末９から受信した追加認証情報と、追加認証情報記憶手段５に記憶する追加認証情報とを照合し（Ｓ１４０）、一致する場合には携帯端末９からのアクセスを許可し、一致しない場合には携帯端末９からのアクセスを拒否する。
【００４３】
アクセスを許可する場合には、携帯端末用クーポン発行システム１は、携帯端末９に携帯端末用の所定の管理画面を送信する。図９に携帯端末用の管理画面の一例を示す。携帯端末用の管理画面の「クーポンの新規発行」を選択することにより、クーポン発行手段７は、図６に示すクーポン情報登録画面を携帯端末９に送信する。
【００４４】
店員は、携帯端末９に表示されたクーポン情報登録画面から、新たに発行するクーポンの情報の入力を行い、クーポン発行手段７に送信する。
【００４５】
このようにして携帯端末９から入力されたクーポンの情報に基づいて、携帯端末用のクーポンを作成することで、クーポンを発行することが出来る（Ｓ１５０）。図７に携帯端末用のクーポンの一例を示す。
【００４６】
尚、クーポン発行手段７は、新たな携帯端末用のクーポンの発行を行った場合に、Ｓ１３０で入力されたＩＤとパスワードとを記録しておく。これにより新たな携帯端末用のクーポンを発行した店員を特定することが出来る。
【００４７】
以上のようにして発行した携帯端末用のクーポンは所定の方法で記憶され、店舗の利用者が当該クーポンにアクセスした場合に、利用者の携帯端末９に表示される。そして店舗利用時に利用者の携帯端末９に表示されたクーポンの画面を利用者が店舗の店員に見せることにより、クーポンに記載されたインセンティブを享受することが出来る。
【００４８】
尚、携帯端末用の管理画面の「クーポンの編集」、「クーポンの削除」等を選択することによって、発行済みのクーポンの内容を編集したり、発行済みのクーポンを削除する等の処理も行える。
【００４９】
本発明に於ける各手段は、その機能が論理的に区別されているのみであって、物理上あるいは事実上は同一の領域を為していても良い。本発明の携帯端末用クーポン発行システム１の各手段はＣＰＵ等の演算装置上で実現され、また各記憶手段はメモリやハードディスク等の記憶装置上で実現される。記憶手段での記憶方式にはデータベース、データファイル等の様々な方式を用いることが出来る。
【００５０】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００５１】
この場合、記憶媒体から読み出されたプログラム自体が前記した実施態様の機能を実現することとなり、そのプログラムを記憶した記憶媒体は本発明を当然のことながら構成することになる。
【００５２】
プログラムを供給する為の記憶媒体としては、例えば磁気ディスク、ハードディスク、光ディスク、光磁気ディスク、磁気テープ、不揮発性のメモリカード等を使用することができる。
【００５３】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００５４】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【００５５】
本発明により、店舗で独自にＩＤとパスワードを付与することができる。例えば店員毎にそのようなものを通知しておけば、仮に問題のある携帯端末用のクーポンが発行されたとしても、そのＩＤとパスワードを調べれば誰が発行したかを特定することが出来るし、そもそもそのような悪意ある発行を防止することが出来る。
【図面の簡単な説明】
【００５６】
【図１】本発明のシステム構成の一例を示すシステム構成図である。
【図２】本発明の処理プロセスの一例を示すフローチャートである。
【図３】初期認証情報記憶手段の概念図である。
【図４】追加認証情報設定画面の一例である。
【図５】追加認証情報記憶手段の概念図である。
【図６】クーポン情報登録画面の一例である。
【図７】携帯端末用のクーポンの一例である。
【図８】管理画面の一例である。
【図９】店員の携帯端末で表示される携帯端末用の管理画面の一例である。
【符号の説明】
【００５７】
１：携帯端末用クーポン発行システム
２：初期認証情報記憶手段
３：初期認証情報照合手段
４：追加認証情報設定手段
５：追加認証情報記憶手段
６：追加認証情報照合手段
７：クーポン発行手段
８：店舗端末
９：携帯端末
１０：ネットワーク
【図１】
2006195515.tif 000003
【図２】
2006195515.tif 000004
【図３】
2006195515.tif 000005
【図４】
2006195515.tif 000006
【図５】
2006195515.tif 000007
【図６】
2006195515.tif 000008
【図７】
2006195515.tif 000009
【図８】
2006195515.tif 000010
【図９】
2006195515.tif 000011